(57)【特許請求の範囲】
【請求項１】
前面開口した直方体状の器具本体内に光源を点灯させる点灯装置が設けられ、商用電源の停電状態には非常用電源から点灯装置に給電し光源を点灯させ表示パネルを光らせる誘導灯であって、矩形状の表示パネルを有する表示ユニットと表示パネルの一端縁に沿って配設された枠部とで器具本体の前面開口を覆い、且つ、表示ユニットと枠部とを合わせた外周形状が器具本体において前面開口を囲む部位の外周形状に沿っており、枠部は、表示ユニットが器具本体に取り付けられた状態において器具本体に対して着脱自在に取り付けられてなることを特徴とする誘導灯。
【請求項２】
前記枠部は、前記器具本体の前端縁に当接する後端縁に前記器具本体から取り外すための操作用凹部が設けられてなることを特徴とする請求項１記載の誘導灯。
【請求項３】
前記表示パネルの後面側に配設され前記光源の光を前記表示パネルへ導光する導光板を備え、前記光源は、前記導光板の一端縁に対向するように前記枠部内に配設されてなることを特徴とする請求項１または請求項２記載の誘導灯。
【請求項４】
前記表示ユニットが、前記表示パネルの前記一端縁を除いた３辺に沿って位置し前記枠部よりも巾細の枠片を備え、前記枠部と前記枠片とで表示パネルの全周を囲む矩形枠状の枠体を形成してなることを特徴とする請求項１ないし請求項３のいずれか１項に記載の誘導灯。
【請求項５】
前記表示パネルの前面と前記枠体の前面とを略面一に形成してなることを特徴とする請求項４記載の誘導灯。
【請求項６】
前記器具本体は、上面の外周部の全周に亘って上方へ突出するリブが突設されてなることを特徴とする請求項１ないし請求項５のいずれかに記載の誘導灯。
【請求項７】
前記リブのうち前記器具本体の前後方向に沿う部位は、前記器具本体の上面の周縁よりも内側において上方へ突設されてなることを特徴とする請求項６記載の誘導灯。
【請求項８】
前記器具本体の上壁には、前記リブよりも内側の部位に、取付ねじの頭部の直径よりも大きい丸孔状の大径部の前縁の一部に前記取付ねじの頭部の直径よりも幅狭の溝部が連続した鍵穴状の取付孔が形成されてなることを特徴とする請求項６または請求項７記載の誘導灯。
【請求項９】
前記器具本体の下壁に、強制的に前記点灯装置への商用電源の給電を遮断し前記非常用電源で点灯するかどうかの確認を行うための点検スイッチの操作部を露出させる露出孔と、前記光源の状態および前記非常用電源の状態をそれぞれ表示する表示素子を視認するための確認窓とが近接して設けられ、確認窓の方が露出孔よりも前方に設けられてなることを特徴とする請求項１ないし請求項８いずれか１項に記載の誘導灯。
【発明の詳細な説明】
【０００１】
【発明の属する技術分野】
本発明は、誘導灯に関するものである。
【０００２】
【従来の技術】
近年、誘導灯においては、平常時にあまり目立たないで済むことから、光源として熱陰極の直管形蛍光灯が器具本体内に収納され器具本体の前面に設けた表示パネルを光らせるようにした従来型誘導灯に替えて、光源として冷陰極の直管形蛍光灯を用いた高輝度誘導灯が多数用いられるようになってきている。ここにおいて、高輝度誘導灯は、従来型誘導灯に比べて輝度が高く、従来型誘導灯に比べて相対的に小型で表示パネルの表示面の面積が従来型誘導灯に比べて小さいという特徴を有している。  ところで、高輝度誘導灯にあっては、光源からの光を避難口へ誘導するためのシンボルが表記された表示パネルからどのように出射するかによって、いわゆる「内照式」と称されるものと、「導光板式」あるいは「パネル式」と称されるものの二つの方式のものが用いられている。
【０００３】
前者の「内照式」と称されるものは、表示パネルの後面側に光源を配置し、光を直接的に表示パネルの前方へ出射するものである。一方、後者の「導光板式」あるいは「パネル式」と称されるものは、表示パネルと、表示パネルの後面側に配設された導光板とを有し、導光板の一端縁に対向配置した光源からの光を導光板内での全反射により導光板の他端縁側に導きながら導光板の後面に設けた光拡散部に入射させ、光拡散部で拡散した光のうち、表示パネルへ向かう光を表示パネルの前方に出射するものである。
【０００４】
【発明が解決しようとする課題】
後者の「導光板式」あるいは「パネル式」の高輝度誘導灯は、導光板を用いているので、導光板の構成により表示パネルの表示面の輝度の分布を容易に設計でき、表示パネルの表示面の輝度の均整度を高くすることが容易であるという利点がある。しかしながら、当該後者の高輝度誘導灯は、表示パネルと導光パネルとを有する表示ユニットの上に光源や点灯装置を収納した箱状の器具本体が配設されているので、外観がすっきりしないという不具合があった。
【０００５】
これに対して、前者の「内照式」の高輝度誘導灯は、表示パネルの後面側の器具本体内に点灯装置などを収納できるので外観がすっきりするという利点と、導光板を使用していないので表示面の面積が同じの場合には後者のものに比べて誘導灯器具全体の重量を軽くできるという利点がある。しかしながら、当該前者のものは、表示パネルに光源の光を直接的に照射するので、表示パネルの表示面の輝度の均整度を高くするのが困難であるなどの不具合があった。
【０００６】
また、「内照式」の誘導灯では、表示パネルの構造上、通常は表示パネルの上下左右の全周を囲む枠体を設けて器具本体に取り付けているが、従来の「パネル式」の高輝度誘導灯では表示パネルの全周を囲む枠体の幅を全周に亘って同じ幅に形成し枠体の上方に位置する器具本体に取り付けられているので、誘導灯器具全体としての一体感を損なう恐れがあった。
【０００７】
本発明は上記事由に鑑みて為されたものであり、その目的は、すっきりした外観であり且つ表示パネルの均整度を高めることが可能な誘導灯を提供することにある。
【０００８】
【課題を解決するための手段】
請求項１の発明は、前面開口した直方体状の器具本体内に光源を点灯させる点灯装置が設けられ、商用電源の停電状態には非常用電源から点灯装置に給電し光源を点灯させ表示パネルを光らせる誘導灯であって、矩形状の表示パネルを有する表示ユニットと表示パネルの一端縁に沿って配設された枠部とで器具本体の前面開口を覆い、且つ、表示ユニットと枠部とを合わせた外周形状が器具本体において前面開口を囲む部位の外周形状に沿っていることを特徴とするものであり、前面開口した直方体状の器具本体内に光源を点灯させる点灯装置が設けられ、矩形状の表示パネルを有する表示ユニットと表示パネルの一端縁に沿って配設された枠部とで器具本体の前面開口を覆い、且つ、表示ユニットと枠部とを合わせた外周形状が器具本体において前面開口を囲む部位の外周形状に沿っているので、すっきりした外観にすることができ、しかも、器具本体とは別部材であって表示パネルの一端縁に沿って配設された枠部を備えているので、枠部に光源を設けることが可能となり、表示パネルの後面側に導光パネルを設ける構成を採用することが可能となる。また、請求項１の発明では、枠部は、表示ユニットが器具本体に取り付けられた状態において器具本体に対して着脱自在に取り付けられてなるので、表示ユニットが器具本体に取り付けられた状態で枠部が着脱可能であり、表示ユニットの取付作業を枠部が取り外された状態でしかできないようにできて安全性が向上し、また、枠部に光源を設けた場合には光源の交換時に枠部を着脱するだけで良いから、光源の交換作業が容易になる。
請求項２の発明は、請求項１の発明において、前記枠部は、前記器具本体の前端縁に当接する後端縁に前記器具本体から取り外すための操作用凹部が設けられてなるので、前記器具本体から前記枠部を取り外すための操作が容易になる。
【０００９】
請求項３の発明は、請求項１または請求項２の発明において、前記表示パネルの後面側に配設され前記光源の光を前記表示パネルへ導光する導光板を備え、前記光源は、前記導光板の一端縁に対向するように前記枠部内に配設されてなるので、外観がすっきりするとともに、表示パネルの表示面の輝度の均整度を高くすることができる。
【００１０】
請求項４の発明は、請求項１ないし請求項３の発明において、前記表示ユニットが、前記表示パネルの前記一端縁を除いた３辺に沿って位置し前記枠部よりも巾細の枠片を備え、前記枠部と前記枠片とで表示パネルの全周を囲む矩形枠状の枠体を形成してなるので、前記表示パネルと誘導灯を設置する周囲との境界を明確に区切ることにより表示面が浮き出て見えて表示の誘目性および表示の識別性が向上する。
【００１１】
請求項５の発明は、請求項４の発明において、前記表示パネルの前面と前記枠体の前面とを略面一に形成してなるので、見栄えが良くなる。
【００１４】
請求項６の発明は、請求項１ないし請求項５の発明において、前記器具本体は、上面の外周部の全周に亘って上方へ突出するリブが突設されてなるので、前記器具本体の上部の強度が向上し、また、天井などの施工面に直付けする場合には前記リブの上端縁のみが施工面に当接するから、前記リブの内側に施工面に直付けするための取付金具を収納して取り付けることができ見栄えが良くなるとともに、光源の温度上昇を抑制することができる。
【００１５】
請求項７の発明は、請求項６の発明において、前記リブのうち前記器具本体の前後方向に沿う部位は、前記器具本体の上面の周縁よりも内側において上方へ突設されてなるので、天井などの施工面に直付けする場合でも施工面の凹凸を目立たせることなく取り付けることができ、しかも、前記枠部の上面と施工面との間に隙間が形成されるから、前記器具本体に対する前記枠部の着脱が容易になり、前記枠部に光源を設けている際の光源の交換作業を容易にすることができる。
【００１６】
請求項８の発明は、請求項６または請求項７の発明において、前記器具本体の上壁には、前記リブよりも内側の部位に、取付ねじの頭部の直径よりも大きい丸孔状の大径部の前縁の一部に前記取付ねじの頭部の直径よりも幅狭の溝部が連続した鍵穴状の取付孔が形成されてなるので、取付ねじを天井面に緩く螺入した状態で、取付孔の大径部に取付ねじの頭部を通し、取付ねじの頭部が溝部に対応する部位に入るように器具本体を後方へスライドさせた後に取付ねじを締め付けるようにすることによって、天井面へ前記器具本体を取り付けることができるから、設置状態における前記器具本体の後面と前記器具本体の後方にある壁との間に形成される隙間を容易に小さくすることができ、インテリアなどを重視する空間の美しさを保つことができる。
【００１７】
請求項９の発明は、請求項１ないし請求項８の発明において、前記器具本体の下壁に、強制的に前記点灯装置への商用電源の給電を遮断し非常用電源で点灯するかどうかの確認を行うための点検スイッチの操作部を露出させる露出孔と、前記光源の状態および前記非常用電源の状態をそれぞれ表示する表示素子を視認するための確認窓とが近接して設けられ、確認窓の方が露出孔よりも前方に設けられてなるので、壁面などの施工面に直付けした場合でも表示素子の表示を視認しやすく、しかも点検スイッチの操作時でも表示素子の表示を視認することができる。
【００１８】
【発明の実施の形態】
本実施形態の誘導灯を図１ないし図１２を参照しながら説明する。
【００１９】
本実施形態の誘導灯は、前面開口した直方体状の器具本体１０と、矩形状（本実施形態では、正方形状）の表示パネル２１を有し器具本体１０の前面開口の大部分を覆う表示ユニット２０と、光源たる直管形の冷陰極蛍光灯３を有し器具本体１０の前面開口のうち表示ユニット２０により覆われていない残りの部分を覆うように表示ユニット２０の上縁に沿って配設されたランプユニット３０とを備えている。
【００２０】
以下では、まず器具本体１０について説明する。
【００２１】
器具本体１０内には、冷陰極蛍光灯３を点灯させる点灯装置４が配設されている。また、器具本体１０内には、商用電源の停電時に点灯装置４へ給電するための非常用電源たる蓄電池を有する非常用電源ブロック６が配設されている。ここに、点灯装置４は、図７に示すように、商用電源に接続される端子台７に３本の電線９１を介して接続されるとともに、非常用電源ブロック６に２本の電線９２を介して接続されており、通常は商用電源により給電されて冷陰極蛍光灯３を点灯させ、商用電源の停電時には蓄電池により給電されて冷陰極蛍光灯３を点灯させるように構成されている。
【００２２】
器具本体１０は、合成樹脂製であって、端子台７に接続される商用電源からの電線（図示せず）を器具本体１０内に挿入する電源穴を形成する切除可能なノックアウト部１１，１１が、上壁と後壁とにそれぞれ形成されている。また、器具本体１０の後壁には、壁面に直付けする際に用いる取付ねじを挿通させるための取付孔を形成する切除可能な２つのノックアウト部１３’，１３’（図７参照）が左右方向に離間して形成されている。さらに、器具本体１０の上壁には、天井面に直付けする際に用いる取付ねじを挿通するための鍵穴状の取付孔を形成する切除可能な２つのノックアウト部１３，１３（図２および図４参照）が左右方向に離間して形成されている。したがって、器具本体１０を天井面に取り付ける場合、壁面に取り付ける場合など、必要に応じて電源穴および取付孔を形成することにより、電源線が挿入されない電源穴や取付ねじが挿通されない取付孔が生じるのを防ぐことができ、美観を高めることが可能になる。なお、器具本体１０内には、図７に示すように、上壁の下面および後壁の前面それぞれに金属製の補強金具８，８’が配設されており、点灯装置４は、補強金具８’に設けたねじ式のアース端子９に、電線９０を介して接続されている。
【００２３】
器具本体１０内の下部の右端部（図７における右端部）には、図７に示すように、強制的に点灯装置４への商用電源の給電を遮断し非常用電源ブロック６で点灯するかどうかの確認を行うための押釦スイッチよりなる点検スイッチ５１と、蓄電池や冷陰極蛍光灯３の状態を表示するランプモニタ用の表示素子たる赤色発光ダイオード５２と、蓄電池の充電状態を表示する充電モニタ用の表示素子たる緑色発光ダイオード５３と、点検スイッチ５１および両発光ダイオード５２，５３が実装されたプリント配線板よりなる回路基板５４とで構成された点検ブロック５０が配設されている。ここにおいて、赤色発光ダイオード５２が点灯している時は、冷陰極蛍光灯３のランプ異常（ランプはずれ、割れなど）を示し、点滅している時は、蓄電池若しくは冷陰極蛍光灯３が交換時期にあることを示し、消灯している時は、正常であることを示している。また、緑色発光ダイオード５３は、消灯時には蓄電池が充電されていないことを示し、点灯時には正常であることを示している。なお、点灯装置４はランプ異常を検出する機能および蓄電池の状態を検出する機能と、これらの機能による検出結果に基づいて各発光ダイオード５２，５３を制御する機能とを備えている。また、点検ブロック５０はカバー５５により覆われている。
【００２４】
器具本体１０の下壁には、点検スイッチ５１の操作部５１ａを露出させる露出孔１５（図５および図７参照）が形成されているので、器具本体１０の下面側から操作部５１ａを操作できるようになっている。また、器具本体１０の下壁には、各発光ダイオード５２，５３それぞれに対応する部位に、確認窓１６，１７（図５参照）が形成されている。したがって、器具本体１の下面側から確認窓１６，１７を通して各発光ダイオード５２，５３の表示を視認できるようになっている。ここに、器具本体１０の下壁において、確認窓１６，１７の方が露出孔１５よりも前方に設けられているので、壁面に直付けした場合でも表示素子の表示を視認しやすく、しかも点検スイッチ５１の操作部５１ａを操作している時でも各発光ダイオード５２，５３の表示を視認することができる。
【００２５】
また、器具本体１０両側壁の前部の各内面には、図２および図７に示すように、器具本体１０の下壁に略平行であって表示ユニット２０のパネルケース２３の後面から突設されたＬ字状の係合片２４の下端縁が上面に当接し表示ユニット２０の下方向への移動を規制する規制片１８ａと、器具本体１０の前端縁に略平行であって規制片１８ａの前端縁から連続一体に形成され上記係合片２４の先端部が後面側に重なる保持片１８ｂとからなるＬ字状の係止片１８が２つずつ突設されている。
【００２６】
一方、表示ユニット２０は、避難口へ誘導するためのシンボルが表記され透光性を有するアクリル樹脂製の表示パネル２１と、表示パネル２１の後面側に配設され冷陰極蛍光灯３の光を表示パネル２１へ導光する透明アクリル樹脂製の導光板２２と、導光板２２の後面に配設される反射シート（図示せず）と、表示パネル２１および導光板２２および上記反射シートを保持する合成樹脂製のパネルケース２３とで構成されている。ここにおいて、パネルケース２３は、器具本体１０と同じ材料により形成されている。また、パネルケース２３の後面において左右両端部にはそれぞれ上述のＬ字状の係合片２４が２つずつ上下方向に沿って突設されている。なお、表示パネル２１は、図３においてハッチングを施した部位の色を緑色としてある。また、導光板２２は、上下方向において下側ほど厚さが薄くなるように形成されている。
【００２７】
パネルケース２３は、器具本体１０の左右幅に略等しい左右幅を有し器具本体１０の上下幅よりも小さな上下幅を有する正方形状の取付ベース２３ａと、取付ベース２３の前面の周部において上辺を除いた３辺に沿って前方へ連続一体に突設された保持枠２３ｂとを備えている。
【００２８】
保持枠２３ｂのうち左右両端部に設けられた部位の内面には、図２に示すように、表示パネル２１をスライド自在に保持するためのガイド溝２３ｃが形成されている。一方、表示パネル２１は、左右両端縁それぞれから後方に向かって側片２１ａが突設されており、各側片２１ａの外面には、ガイド溝２３ｃにスライド自在に導入されるガイドリブ２１ｂが突設されている。したがって、表示パネル２１は、パネルケース２３の保持枠２３ｂの上方からガイドリブ２１ｂをガイド溝２３に導入して下方にスライドさせることにより、パネルケース２３に保持される。ここに、表示パネル２１は、パネルケース２３によって、下方向、前後方向、および左右方向へ移動が規制される。したがって、表示ユニット２０は、あらかじめ表記されたシンボルが異なる複数種類の表示パネルを用意しておくことにより、表示パネル２１を適宜交換することができるようになっている。
【００２９】
器具本体１０に表示ユニット２０を取り付けるには、器具本体１０の両側壁の各前端縁にパネルケース２３の後面が当接するように器具本体１０と表示ユニット２０との左右方向の位置を合わせ、且つ、器具本体１０の両側壁の内面に突設された各係止片１８に対応する各係合片２４が上方向にずれるように表示ユニット２０の下面を器具本体１０の下面よりも上方向にずらしている状態から、器具本体１０の両側壁の各前端縁にパネルケース２３の後面を当接させながら表示ユニット２０を下方に摺動させると、各係合片２４の各下端縁が各係止片１８それぞれの規制片１８ａの上面に当接し且つ各係合片２４の前面が各係止片１８それぞれの保持片１８ｂの後面に当接して、表示ユニット２０が器具本体１０に仮保持され、器具本体１０に対する表示ユニット２０の左右方向、下方向、および前後方向への移動が規制されるようになる。このように器具本体１０に表示ユニット２０が仮保持された状態では、器具本体１０の上面を含む平面と表示パネル２１の上端縁との間にランプユニット３０の上下幅よりもやや小さな隙間が形成される。ランプユニット３０は、表示ユニット２０が器具本体１０に取り付けられた状態において、この隙間をなくし表示ユニット２０と合わせて器具本体１０の前面開口を覆う形で器具本体１０の前面に着脱自在に取り付けられる。表示ユニット２０を器具本体１０から取り外すには、ランプユニット３０が器具本体１０から取り外された状態で、表示ユニット２０を係止片１８と保持片１８ｂとが重ならない位置までスライドさせて前方へ取り外せばよい。なお、保持枠２３ｂの幅は、ランプユニット３０の幅（上下幅）よりも小さくなっている。
【００３０】
ランプユニット３０は、図１２に示すように、断面Ｌ字状であって左右両端面に側壁が連続一体に形成され且つ各側壁の内側にそれぞれ支持台３５，３５が設けられたランプホルダ３１と、ランプホルダ３１の一対の支持台３５，３５により支持された直管形の冷陰極蛍光灯３と、冷陰極蛍光灯３の両端部の各電極（図示せず）にそれぞれ接続され支持台３５，３５の後面よりも後方に突出した端子片３６，３６と、下面側が開放した断面Ｕ字状であって冷陰極蛍光灯３を囲む形で支持台３５，２５により支持された反射板３２とで構成されている。ここにおいて、ランプユニット３０は、器具本体１０に取り付けた状態で冷陰極蛍光灯３が導光板２４の上端縁に対向する位置に配置される位置に冷陰極蛍光灯３を保持している。ランプホルダ３１は、合成樹脂製であって、器具本体１０およびパネルケース２３と同じ材料で形成され且つ同じ色としてある。
【００３１】
ランプホルダ３１の後面上部における左右には、断面Ｌ字状であって器具本体１０の上部における左右の角部の内面に沿うように配列されたガイド片３３，３３が後方に向かって突設されている。また、各ガイド片３３，３３の下方には、各端子片３６，３６それぞれの外側で左右方向において各端子片３６，３６に重なり且つランプホルダ３１の後面からの突出寸法がガイド片３３，３３の半分程度の結合片３４，３４が突設されている。
【００３２】
一方、器具本体１０において両側壁の上部の内側には、図７に示すように、点灯装置４にそれぞれ電線９３，９３を介して接続され上記端子片３６，３６が前方から嵌入され端子片３６，３６が電気的に接続されるとともに機械的に接続されるソケット６０，６０が配設されている。ここにおいて、各ソケット６０，６０と器具本体１０の各側壁との間にはそれぞれ結合片３４，３４が前方から挿入される隙間６１，６１が形成されている。
【００３３】
ランプホルダ３１は、器具本体１０の前端縁に当接する後端縁に、器具本体１０から取り外すための操作用凹部３１ａが設けられいる。操作用凹部３１ａは器具本体１０の前端縁に平行な面における内周面が円弧状に形成されており、コインの一部を操作用凹部３１ａに挿入してランプユニット３０が器具本体１０から離れる向きに力を作用させることにより、器具本体１０からランプユニット３０を取り外すことができるようになっている。ここにおいて、結合片３４，３４の一部を端子片３６，３６に重複させてあるので、ランプユニット３０の取り外し時にコインなどが端子片３６，３６に当たるのを防ぐことができるから、端子片３６，３６に傷が付くのを防ぐことができる。しかも、操作用凹部３１ａの内周面を上述の円弧状に形成していることにより、コインを利用して取り外せることを施工業者に示唆できるとともに、側面から見たときの違和感をなくすことができる。また、本実施形態においては、ランプユニット３０は、器具本体１０の前方から器具本体１０に取り付けられ、器具本体１０から手前に取り外すことができるので、ランプユニット３０の着脱時に器具本体１０の前面側においてランプユニット３０を前後方向に移動させるだけでよいから、器具本体１０の近くに天井や壁があっても器具本体１０の取付作業に支障をきたすこともない。なお、本実施形態では、器具本体１０に対するランプユニット３０の着脱を器具本体１０の前面側において前後方向としてあるが、ランプユニット３０を器具本体１０の前面側において左右方向にスライドさせて着脱するような構成を採用してもよし、器具本体１０の前面側において斜め下方から着脱するような構成を採用してもよい。
【００３４】
ところで、本実施形態では、ランプホルダ３１とパネルケース２３の保持枠２３ｂとで表示パネル２１の全周を囲む矩形枠状の枠体を形成している。したがって、表示パネル２１と誘導灯を設置する周囲との境界を明確に区切ることができ、表示パネル２１の表示面が浮き出て見えて表示の誘目性および表示の識別性が向上する。なお、本実施形態では、ランプホルダ３１が枠部を構成し、保持枠２３ｂが枠片を構成している。
【００３５】
ここに、表示ユニット２０は、表示パネル２１の前面と前記枠体の前面とが略同一平面上に形成されるように構成されているので、見栄えが良い。要するに、表示パネル２１の前面と枠体の前面とを略面一にしてある。ただし、ランプホルダ３１の下端部の一部は前後方向において表示パネル２１の上部に重なるように位置しているので、ランプホルダ３１の前面の下部には、下方ほど表示パネル２１からの突出量が小さくなるような傾斜面３１ｂが形成されている。なお、ランプホルダ３１の下端部の一部で表示パネル２１の上部が押えられることになり、表示パネル２１や表示ユニット２０がパネルケース２３や器具本体１０から外れるのを防ぐことができる。
【００３６】
本実施形態においては、器具本体１０の左右幅に略等しい左右幅を有し器具本体１０の上下幅よりも小さな上下幅を有する正方形状の表示ユニット２０と表示ユニット２０の表示パネルの上縁に沿って配設されたランプユニット３０とで器具本体１０の前面開口を覆い、且つ、表示ユニット２０とランプユニット３０とを合わせた外周形状が器具本体１０において前面開口を囲む部位の外周形状に沿っている。しかして、本実施形態では、すっきりした外観にすることができるとともに、表示パネル２１の表示面の輝度の均整度を高くすることができる。
【００３７】
また、器具本体１０は、上面の外周部の全周に亘って上方へ突出するリブ１２が突設されているので、天井などの施工面に直付けする場合にはリブ１２の上端縁のみが施工面に当接するから、リブ１２の内側に施工面に直付けするための取付金具を収納して取り付けることができて見栄えが良くなるとともに、冷陰極蛍光灯３の温度上昇を抑制することができる。しかも、ランプユニット３０の上面と施工面との間に隙間が形成されるから、器具本体１０に対するランプユニット３０の着脱が容易になり、ランプユニット３０に保持された冷陰極蛍光灯３の交換作業が容易になる。ここに、リブ１２のうち器具本体１０の前後方向に沿う部位は、器具本体１０の上面の周縁よりも内側において上方へ突設されている。したがって、また、施工面の凹凸を目立たせることなく取り付けることができる。
【００３８】
また、器具本体１０の上面には、リブ１２よりも内側の部位に、上記ノックアウト部１１，１３，１３が離間して形成されている。このため、ノックアウト部１１，１３，１３を切除することにより、天井面へ上記取付ねじを用いて直付けすることができる。ここに、ノックアウト部１３を切除することにより形成される取付孔は、上記取付ねじの頭部の直径よりも大きい丸孔状の大径部の前縁の一部に上記取付ねじの頭部の直径よりも幅狭の溝部が連続した鍵穴状に形成される。
【００３９】
したがって、上記取付ねじを天井面（施工面）に緩く螺入した状態で、上記取付ねじの頭部に上記取付孔の大径部を通し、上記取付ねじの頭部を溝部に対応する部位までスライドさせた後に上記取付ねじを締め付けるようにすることによって、天井面への器具本体１０の取付作業を容易にすることができる。しかも、壁際の天井面に直付けする場合、設置状態における器具本体１０の後面と器具本体１０の後方にある壁との間に形成される隙間を容易に小さくすることができ、インテリアなどを重視する空間の美しさを保つことができる。
【００４０】
また、冷陰極蛍光灯３の交換時にはランプユニット３０のみを器具本体１０から取り外せはばよいから、冷陰極蛍光灯３の交換作業が容易になる。
【００４１】
【発明の効果】
請求項１の発明は、前面開口した直方体状の器具本体内に光源を点灯させる点灯装置が設けられ、商用電源の停電状態には非常用電源から点灯装置に給電し光源を点灯させ表示パネルを光らせる誘導灯であって、矩形状の表示パネルを有する表示ユニットと表示パネルの一端縁に沿って配設された枠部とで器具本体の前面開口を覆い、且つ、表示ユニットと枠部とを合わせた外周形状が器具本体において前面開口を囲む部位の外周形状に沿っているものであり、前面開口した直方体状の器具本体内に光源を点灯させる点灯装置が設けられ、矩形状の表示パネルを有する表示ユニットと表示パネルの一端縁に沿って配設された枠部とで器具本体の前面開口を覆い、且つ、表示ユニットと枠部とを合わせた外周形状が器具本体において前面開口を囲む部位の外周形状に沿っているので、すっきりした外観にすることができ、しかも、器具本体とは別部材であって表示パネルの一端縁に沿って配設された枠部を備えているので、枠部に光源を設けることが可能となり、表示パネルの後面側に導光パネルを設ける構成を採用することが可能となるという効果がある。また、請求項１の発明では、枠部は、表示ユニットが器具本体に取り付けられた状態において器具本体に対して着脱自在に取り付けられてなるので、表示ユニットが器具本体に取り付けられた状態で枠部が着脱可能であり、表示ユニットの取付作業を枠部が取り外された状態でしかできないようにできて安全性が向上し、また、枠部に光源を設けた場合には光源の交換時に枠部を着脱するだけで良いから、光源の交換作業が容易になるという効果がある。
請求項２の発明は、請求項１の発明において、前記枠部は、前記器具本体の前端縁に当接する後端縁に前記器具本体から取り外すための操作用凹部が設けられてなるので、前記器具本体から前記枠部を取り外すための操作が容易になるという効果がある。
【００４２】
請求項３の発明は、請求項１または請求項２の発明において、前記表示パネルの後面側に配設され前記光源の光を前記表示パネルへ導光する導光板を備え、前記光源は、前記導光板の一端縁に対向するように前記枠部内に配設されてなるので、外観がすっきりするとともに、表示パネルの表示面の輝度の均整度を高くすることができるという効果がある。
【００４３】
請求項４の発明は、請求項１ないし請求項３の発明において、前記表示ユニットが、前記表示パネルの前記一端縁を除いた３辺に沿って位置し前記枠部よりも巾細の枠片を備え、前記枠部と前記枠片とで表示パネルの全周を囲む矩形枠状の枠体を形成してなるので、前記表示パネルと誘導灯を設置する周囲との境界を明確に区切ることにより表示面が浮き出て見えて表示の誘目性および表示の識別性が向上するという効果がある。
【００４４】
請求項５の発明は、請求項４の発明において、前記表示パネルの前面と前記枠体の前面とを略面一に形成してなるので、見栄えが良くなるという効果がある。
【００４７】
請求項６の発明は、請求項１ないし請求項５の発明において、前記器具本体は、上面の外周部の全周に亘って上方へ突出するリブが突設されてなるので、前記器具本体の上部の強度が向上し、また、天井などの施工面に直付けする場合には前記リブの上端縁のみが施工面に当接するから、前記リブの内側に施工面に直付けするための取付金具を収納して取り付けることができ見栄えが良くなるとともに、光源の温度上昇を抑制することができるという効果がある。
【００４８】
請求項７の発明は、請求項６の発明において、前記リブのうち前記器具本体の前後方向に沿う部位は、前記器具本体の上面の周縁よりも内側において上方へ突設されてなるので、天井などの施工面に直付けする場合でも施工面の凹凸を目立たせることなく取り付けることができ、しかも、前記枠部の上面と施工面との間に隙間が形成されるから、前記器具本体に対する前記枠部の着脱が容易になり、前記枠部に光源を設けている際の光源の交換作業を容易にすることができるという効果がある。
【００４９】
請求項８の発明は、請求項６または請求項７の発明において、前記器具本体の上壁には、前記リブよりも内側の部位に、取付ねじの頭部の直径よりも大きい丸孔状の大径部の前縁の一部に前記取付ねじの頭部の直径よりも幅狭の溝部が連続した鍵穴状の取付孔が形成されてなるので、取付ねじを天井面に緩く螺入した状態で、取付孔の大径部に取付ねじの頭部を通し、取付ねじの頭部が溝部に対応する部位に入るように器具本体を後方へスライドさせた後に取付ねじを締め付けるようにすることによって、天井面へ前記器具本体を取り付けることができるから、設置状態における前記器具本体の後面と前記器具本体の後方にある壁との間に形成される隙間を容易に小さくすることができ、インテリアなどを重視する空間の美しさを保つことができるという効果がある。
【００５０】
請求項９の発明は、請求項１ないし請求項８の発明において、前記器具本体の下壁に、強制的に前記点灯装置への商用電源の給電を遮断し非常用電源で点灯するかどうかの確認を行うための点検スイッチの操作部を露出させる露出孔と、前記光源の状態および前記非常用電源の状態をそれぞれ表示する表示素子を視認するための確認窓とが近接して設けられ、確認窓の方が露出孔よりも前方に設けられてなるので、壁面などの施工面に直付けした場合でも表示素子の表示を視認しやすく、しかも点検スイッチの操作時でも表示素子の表示を視認することができるという効果がある。
【図面の簡単な説明】
【図１】実施形態における部品配置説明図である。
【図２】同上の概略分解斜視図である。
【図３】同上の正面図である。
【図４】同上の上面図である。
【図５】同上の下面図である。
【図６】同上の側面図である。
【図７】同上の表示ユニットを取り外した状態の正面図である。
【図８】同上の表示ユニットの正面図である。
【図９】同上の表示ユニットの下面図である。
【図１０】同上の表示ユニットの側面図である。
【図１１】同上の表示ユニットの背面図である。
【図１２】同上のランプユニットを示し、（ａ）は正面図、（ｂ）は下面図、（ｃ）は背面図、（ｄ）は側面図である。
【符号の説明】
３  冷陰極蛍光灯
１０  器具本体
２０  表示ユニット
２１  表示パネル
２２  導光板
２３  ランプケース
３０  ランプユニット
３１  ランプホルダ
【図１】
0003952663.tif 000002
【図２】
0003952663.tif 000003
【図３】
0003952663.tif 000004
【図４】
0003952663.tif 000005
【図５】
0003952663.tif 000006
【図６】
0003952663.tif 000007
【図７】
0003952663.tif 000008
【図８】
0003952663.tif 000009
【図９】
0003952663.tif 000010
【図１０】
0003952663.tif 000011
【図１１】
0003952663.tif 000012
【図１２】
0003952663.tif 000013